【手続補正書】
【提出日】平成15年11月10日(2003.11.10)
【手続補正１】
【補正対象書類名】特許請求の範囲
【補正対象項目名】全文
【補正方法】変更
【補正の内容】
【特許請求の範囲】
【請求項１】
外部物体の侵入時に室内で発生する圧力変化を電気的に感知するためのセンサ部；
前記センサ部を介して感知された圧力の変化に相応する電気信号を信号処理に適合するように増幅させるアンプ部；
一定の演算を行って前記アンプ部から伝達された信号が外部物体の侵入による１〜３０Ｈｚの圧力変化であるか否かを判断するワンチッププロセッサ；
前記ワンチッププロセッサの動作状態を調整するためのスイッチング部；および
前記ワンチッププロセッサによって圧力変化が外部物体の侵入によるものと判断される場合、これを使用者に知らせるための警報部；
を備えることを特徴とする圧力変化に感応する安全警報装置。
【請求項２】
請求項１に記載の安全警報装置において、
前記センサ部としては、コンデンサマイクが使用されることを特徴とする圧力変化に感応する安全警報装置。
【請求項３】
請求項１に記載の安全警報装置において、
前記ワンチッププロセッサを介して室内の圧力変化が外部物体の侵入によるものと判断される場合、これをリアルタイムで使用者に有線および／または無線で通知し得る伝送部を含むことを特徴とする圧力変化に感応する安全警報装置。
【請求項４】
請求項１に記載の安全警報装置において、
前記ワンチッププロセッサには、前記アンプ部を通過した信号のうち扉の開放時に類似した帯域であって低周波の信号のみが通過される低域通過フィルタ部が含まれることを特徴とする圧力変化に感応する安全警報装置。
【請求項５】
携帯用機器；
前記携帯用機器内に内蔵され、どこでも置くことができる警報機；
が含まれ、
前記携帯用機器は、
外部からの物体侵入によって発生される室内圧の変化を電気信号として感知するセンサユニット；
前記センサユニットによって感知される室内圧の変化による電気信号を増幅するためのアンプユニット；
前記アンプユニットから伝達される信号が外部からの物体によるものであるか否かを判断するワンチッププロセッサ；
前記ワンチッププロセッサの動作状態を合わせ調整するためのスイッチングユニット；および
前記ワンチッププロセッサによって圧力変化が外部物体の侵入によるものと判断される場合、使用者に外部物体の侵入事実を知らせるための警報ユニット；
を備えることを特徴とする圧力変化に感応する安全警報装置。
【請求項６】
扉の開放時に室内で発生する圧力変化を電気的に感知するためのセンサ部；
前記センサ部を介して感知された圧力変化に相応する電気信号が信号処理に適合するように増幅させるアンプ部；
前記アンプ部を通過した電気信号のうち扉の開放時の圧力変化によって発生する低周波の電気信号と類似した低域の電気信号のみを通過させる低域通過フィルタ；
前記低域通過フィルタを通過した低周波の電気信号が扉の開放時の低周波信号であるか否かを判断するためのワンチッププロセッサ；
前記ワンチッププロセッサの動作状態を調整するためのスイッチング部；
前記ワンチッププロセッサによって低周波信号が外部物体の侵入によるものと判断される場合、これを使用者に知らせるための警報部；および
前記ワンチッププロセッサによって低周波信号が外部物体の侵入によるものと判断される場合、使用者に有線および／または無線で通知し得る伝送部；
を備えることを特徴とする圧力変化に感応する安全警報装置。
【請求項７】
請求項６に記載の安全警報装置において、
前記ワンチッププロセッサには、前記低域通過フィルタを通過した低周波の電気信号のうち扉の開放時の周波数とより類似した帯域の周波数のみがより正確に通過されるようにするデジタル周波数フィルタがさらに含まれることを特徴とする圧力変化に感応する安全警報装置。
【請求項８】
請求項６に記載の安全警報装置において、
前記アンプ部を通過した後、分岐される線路に形成され、大きな騒音に含まれた低周波が無視され得るようにするためのオン／オフ信号を発生させるデジタルノイズフィルタがさらに含まれることを特徴とする圧力変化に感応する安全警報装置。
【請求項９】
請求項６に記載の安全警報装置において、
前記スイッチング部によって前記ワンチッププロセッサにおける周波数感度が調整されることを特徴とする圧力変化に感応する安全警報装置。
【請求項１０】
請求項６に記載の安全警報装置において、
前記スイッチング部の調整によって前記伝送部または前記警報部に伝送するか否かが決定されることを特徴とする圧力変化に感応する安全警報装置。
【請求項１１】
室内の圧力変化がセンサ部によって電気信号として感知されるステップ；
前記センサ部によって感知された電気信号が増幅されたアナログ信号に変換されるステップ；
増幅されたアナログ信号のうち１〜３０Ｈｚの低域信号のみが通過される低域フィルターリングステップ；
低域通過されたアナログ信号が一定の周期でサンプリングされデジタル化したサンプリング値に変換されるステップ；
前記サンプリング値と基準値とが比較され、基準値より小さな前記サンプリング値が一定期間の間入力される場合、これに対して警報をならすか、遠隔地に居る使用者に有無線を介して警報を出すステップ；
を含むことを特徴とする圧力変化を用いた安全警報方法。
【請求項１２】
請求項１１に記載の安全警報方法において、
前記基準値は、使用者が任意に指定する圧力変化を用いた安全警報方法。
【請求項１３】
請求項１１に記載の安全警報方法において、
前記基準値は、前記警報ステップの初期に入力される少なくとも２つ以上の前記サンプリング値のうちの最小値にすることを特徴とする圧力変化を用いた安全警報方法。
【請求項１４】
請求項１１に記載の安全警報方法において、
前記低域フィルターリングステップの直後は、扉の開放によって直接的に発生する帯域の周波数の波が通過されるようにする帯域通過フィルターリングステップがさらに含まれることを特徴とする圧力変化を用いた安全警報方法。
【請求項１５】
請求項１４に記載の安全警報方法において、
前記帯域通過フィルターリングには、デジタル周波数フィルタが使用されることを特徴とする圧力変化を用いた安全警報方法。
【請求項１６】
請求項１４に記載の安全警報方法において、
前記帯域通過フィルターリングステップでは、４〜１２Ｈｚおよび／または１４〜５２Ｈｚ帯域幅の低周波が通過されるようにすることを特徴とする圧力変化を用いた安全警報方法。
【請求項１７】
請求項１１に記載の安全警報方法において、
前記警報ステップには、大きな騒音に含まれる低周波の電気信号が無視され得るようにするため、前記アナログ信号への変換ステップにおいて出力されるアナログ信号の１周期の波形のうちの最大値が一定期間の間前記基準値を超えない区間がある場合にのみ出力されるアナログ信号を採択するようにするオン信号を発するようにするデジタルノイズフィルターリングのステップがさらに含まれることを特徴とする圧力変化を用いた安全警報方法。
【請求項１８】
室内の圧力変化がセンサ部によって電気信号として感知されるステップ；
前記センサ部によって感知された電気信号が増幅されたアナログ信号に変換されるステップ；
増幅されたアナログ信号のうち低域の信号のみが通過される低域フィルターリングステップ；
低域通過されたアナログ信号が一定周期でサンプリングされデジタル化したサンプリング値に変換されるステップ；
前記低域フィルターリングステップの直後は、扉の開放によって直接発生する帯域の周波数であって１〜３０Ｈｚの波を通過させる帯域通過フィルターリングステップ；
前記サンプリング値と基準値とが比較され、基準値より小さな前記サンプリング値が一定期間の間入力される場合、これに対して警報をならすかまたは遠隔地に居る使用者に有無線を介して警報を出す警報ステップ；
を含むことを特徴とする圧力変化を用いた安全警報方法。
【請求項１９】
室内の圧力変化がセンサ部によって電気信号として感知されるステップ；
前記センサ部によって感知された電気信号が増幅されたアナログ信号に変換されるステップ；
増幅されたアナログ信号のうち低域の信号のみが通過される低域フィルターリングステップ；
低域通過されたアナログ信号の勾配を測定するステップ；
前記アナログ信号の勾配が一定値より小さな場合は、扉の開放時の低周波と認められ、警報をならすかまたは遠隔地に居る使用者に有無線を介して警報を出す警報ステップ；
を含むことを特徴とする圧力変化を用いた安全警報方法。
【請求項２０】
請求項１９に記載の安全警報方法において、
前記勾配は、アナログ信号の最大値または最小値を測定区間の一端にして測定されることを特徴とする圧力変化を用いた安全警報方法。